(57)【要約】【課題】引戸ごとに独立して移動できる。【解決手段】敷居２８には引戸ごとに対応して点対称に形成された二つの溝３０ａ、３０ｂが設けられ、引戸３ａ、３ｂはこの溝３０ａ、３０ｂに案内される下部被案内装置４を有する。各溝３０ａ、３０ｂは直線溝３１ａ、３１ｂと、この直線溝３１ａ、３１ｂから延在する第１の分岐溝３３ａ、３３ｂおよび第２の分岐溝３４ａ、３４ｂを有し、これら分岐溝は中央線４６上まで形成される。引戸が閉められたときに、各引戸の下部被案内装置４は、第１の分岐溝および第２の分岐溝の略端３５ａ、３５ｂに位置する。さらに、直線溝３１ａ、３１ｂと第２の分岐溝３４ａ、３４ｂとの交差部に引戸の下部被案内装置４の進入方向を切り替える方向切替装置４８が設けられる。鴨居側にも敷居２８側と同様の溝が設けられ、引戸の上部被案内装置を案内する。【選択図】        図３
2004285559.tif 000002
【特許請求の範囲】
【請求項１】
引戸と、該引戸の下に設けられる敷居と、前記引戸の上に設けられる鴨居とを有し、該敷居と鴨居は前記引戸を案内する溝を有し、該敷居の溝と該鴨居の溝は対向して設けられ、前記引戸が閉じられたときに該引戸同士が面一に並列し、前記引戸が開かれたときに該引戸同士が略重なるように形成されてなる引戸装置において、１対または複数対の引戸を備え、各引戸は前記敷居の溝に案内される下部被案内手段と、前記鴨居の溝に案内される上部被案内手段とを有し、前記敷居の溝と前記鴨居の溝は各引戸ごとに対応して複数設けられるとともに対の引戸に対応する二つの溝は点対称に形成され、各溝は前記引戸の開閉方向に延在する直線溝と、該直線溝の一端から該直線溝に対して遠くなる方向に斜めに延在する第１の分岐溝と、該第１の分岐溝に平行で前記直線溝の中間位置から延在する第２の分岐溝とを有し、該第１の分岐溝と該第２の分岐溝は、前記対の引戸に対応する二つの溝の直線溝同士の間の略中央まで形成され、引戸が閉められたときに、各引戸の前記下部被案内手段と前記上部被案内手段は、各々前記第１の分岐溝および前記第２の分岐溝の略端に位置してなる引戸装置。
【請求項２】
請求項１において、前記直線溝と前記第２の分岐溝との交差部に前記引戸の下部被案内手段または上部被案内手段の進入方向を切り替える方向切替手段を設けてなる引戸装置。
【請求項３】
請求項１または２において、前記対の引戸は互いに等しい幅に形成され、該対の引戸が閉じられたときに該引戸の突合せ側木口の面は前記第１の分岐溝または第２の分岐溝と略同じ方向に斜めに面取りされ、該突合せ側木口と反対側の木口寄りの引戸面に取手が形成され、該取手は該取手が設けられる側の木口端と前記突合せ側木口の面取り幅寸法に相当する位置との間に形成されてなる引戸装置。
【発明の詳細な説明】
【０００１】
【発明の属する技術分野】
本発明は、複数の引戸が同一平面上に並ぶ引戸装置に関するものである。
【０００２】
【従来の技術】
従来の引戸装置としては、たとえば敷居と鴨居に案内レールが設けられた装置であって、この案内レールは、直線状の案内溝と、この案内溝の中央から略ハの字形に設けられた１対の誘導案内溝および直線状の案内溝の両端から略ハの字形に設けられた別の１対の誘導案内溝を有し、直線状の案内溝と中央の誘導案内溝との交差部分には第１の可動板を設けた中央切替ポイントが設けられ、直線状の案内溝の両端と別の１対の誘導案内溝との間には第２の可動板を設けた両端切替ポイントが設けられたものが知られている（特許文献１）。
【０００３】
また、別の引戸装置として、たとえば鴨居に相当する上部部材の左右方向に長い主案内溝が形成され、この主案内溝は直線部と、円弧状の湾曲部とを有する。主案内溝の中央やや左とやや右にそれぞれ分岐案内溝が形成される。主案内溝と分岐案内溝の交差部分には経路切替レバーとこれに一体的に形成された第１突出片とが回転自在に設けられる（特許文献２）。
【０００４】
【特許文献１】
特公平３−１２１９６号公報（第２頁〜第３頁、第６図Ａ〜第６図Ｄ、第７図Ａ、第７図Ｂ）
【特許文献２】
実公昭６１−４１９０８号公報（第３頁、第３図）
【０００５】
【発明が解決しようとする課題】
しかしながら、前者の引戸装置（特許文献１）は、１対の引戸に対して一つの直線状の案内溝を設けているので、この案内溝に一方の引戸が誘導されているときに他方の引戸を移動することができない。すなわち、一つの引戸を他の引戸の位置に関係なく独立して移動させることができない。
【０００６】
また、後者の引戸装置（特許文献２）についても、主案内溝が一つ設けられているので、前者の引戸装置と同様に、各引戸を独立して移動させることができない。いずれにしても、一方の側に寄っている１対の引戸を他方の側に寄せ替えるときには引戸の移動順番が発生し、この順番に引戸を移動させなければならないので、使い勝手が悪く、開閉の手間がかかる。
【０００７】
本発明は、引戸ごとに独立して移動できることを課題とする。
【０００８】
【課題を解決するための手段】
上記課題を解決するため、本発明は、引戸と、この引戸の下に設けられる敷居と、引戸の上に設けられる鴨居とを有し、敷居と鴨居は引戸を案内する溝を有し、敷居の溝と鴨居の溝は対向して設けられ、引戸が閉じられたときに引戸同士が面一に並列し、引戸が開かれたときに引戸同士が略重なるように形成されてなる引戸装置において、１対または複数対の引戸を備え、各引戸は敷居の溝に案内される下部被案内手段と、鴨居の溝に案内される上部被案内手段とを有し、敷居の溝と鴨居の溝は各引戸ごとに対応して複数設けられるとともに対の引戸に対応する二つの溝は点対称に形成される。
【０００９】
さらに、各溝は引戸の開閉方向に延在する直線溝と、この直線溝の一端から直線溝に対して遠くなる方向に斜めに延在する第１の分岐溝と、この第１の分岐溝に平行で直線溝の中間位置から延在する第２の分岐溝とを有し、第１の分岐溝と第２の分岐溝は、対の引戸に対応する二つの溝の直線溝同士の間の略中央まで形成され、引戸が閉められたときに、各引戸の下部被案内手段と上部被案内手段は、各々第１の分岐溝および第２の分岐溝の略端に位置してなることを特徴とする。
【００１０】
このようにすることにより、対として設けられる引戸は、この引戸が閉められているとき、引戸に設けられた下部被案内手段および上部被案内手段は、第１の分岐溝と第２の分岐溝の略端に位置し、二つの引戸は面一に並列している。この状態から二つの引戸の内、どちらか片方の引戸を移動させると、この引戸はこれに対応する専用の溝に沿って移動する。
【００１１】
対の引戸に対応する二つの溝は点対称に形成されているので、片方の引戸を開いたときには片方の引戸は他方の引戸に重なる。このように、片方の引戸を他方の引戸の移動位置に関係なく移動させることができる。反対に、他方の引戸を移動させるときにも、他方の引戸はこの引戸に専用の溝に沿って移動するので、片方の引戸の移動位置に関係なく移動させることができる。このように一つの引戸は他方の引戸とは独立に移動させることができるので、引戸の開閉に手間がかからず使い勝手が良い。また、引戸ごとに移動できるので、引戸の引き残しがない。
【００１２】
また、直線溝と第２の分岐溝との交差部に引戸の下部被案内手段または上部被案内手段の進入方向を切り替える方向切替手段を設けると良い。このようにすると、引戸を移動させるときに、方向切替手段は直線溝と第２の分岐溝との間で引戸の下部案内手段および上部案内手段の進行方向を切り替えるので、引戸の開閉動作を確実に行わせることができる。
【００１３】
さらに、対の引戸は互いに等しい幅に形成され、この対の引戸が閉じられたときに引戸の突合せ側木口の面は第１の分岐溝または第２の分岐溝と略同じ方向に斜めに面取りされ、この突合せ側木口と反対側の木口寄りの引戸面に取手が形成され、この取手は取手が設けられる側の木口端と突合せ側木口の面取り幅寸法に相当する位置との間に形成されると良い。
【００１４】
このようにすると、対の引戸は同一の幅であるので、一方の引戸を開けたときに、二つの引戸の同じ側にある木口端が一致する。このとき、裏側に位置する一方の引戸の取手は表側に位置する他方の引戸の裏面に入り込む。しかし、他方の引戸の木口の面は第１の分岐溝または第２の分岐溝と略同じ方向に斜めに面取りされ、かつ一方の引戸の取手は、取手が設けられる側の木口端と突合せ側木口の面取り幅寸法に相当する位置との間に形成されるので、一方の引戸の取手の前に空間が形成される。このため一方の引戸の取手に掛けていた手は、一方の引戸と他方の引戸との間に挟まれることがない。
【００１５】
次に本発明を構成する各要件についてさらに詳しく説明する。本引戸装置は、建具や間仕切りとして、あるいは収納庫の開閉装置として設けられるもので、主に引戸枠と、この引戸枠に立て付けられる引戸とで形成される。引戸枠は、引戸枠の下部を形成する敷居と、上部を形成する鴨居およびこれら敷居、鴨居の間をつなぐ縦部材とを有する。引戸枠の形状は、特に限定されないが、通常正面から見て矩形状であり、これにともなって引戸の形状も矩形とする。引戸の形状は、基本的には左右同じ形状のものを使用することができるが、引戸の面に化粧板を設ける場合は左右の引戸で前面と後面が異なる。
【００１６】
敷居および鴨居は、引戸を案内する溝を有するが、敷居と鴨居が引戸枠を形成したときに対向し、水平面を境にして対称的で同形状または略同形状である。敷居および鴨居に設けられる溝は、点対称に形成される。さらに、溝は、開閉方向に延在する直線溝と、この直線溝から延在する第１の分岐溝および第２の分岐溝とを有するが、溝の断面形状は引戸の下部被案内手段、上部被案内手段を案内できるものであれば特に限定されず、たとえば上方に開口したコの字形または樋形でも良い。また、敷居や鴨居に溝を設ける場合、溝形状を有する案内レールを埋め込むことにより溝を形成しても良い。
【００１７】
引戸の下部被案内手段は、敷居の溝に案内されるもので、たとえば下部に車輪（またはキャスター）の付いたロッドなどで、引戸の重量を支えることができるとともに、上下方向の高さを調整できる、たとえば雄ねじと雌ねじを設けた高さ調整手段を有するものが好ましい。引戸の上部被案内手段は、鴨居の溝に案内されるもので、たとえば棒状のロッドやピン、上部に車輪（またはキャスター）の付いたロッドなどで、上方にばねなどで付勢されたものが好ましい。
【００１８】
方向切替手段は、直線溝と第２の分岐溝との間で引戸の進入方向を切り替えるものであるが、その構造は、枢軸に対して一側が揺動する揺動部材と、この枢軸に対して他側に設けられ揺動部材の揺動途中位置における停止を防止する途中停止防止手段とを備え、揺動部材は、揺動方向の一方の側に突出する第１の突起および揺動方向の他方の側に突出する第２の突起を有してなると良い。
【００１９】
このようにすることにより、直線溝と第２の分岐溝の間において、揺動部材を直線溝と第２の分岐溝との間で揺動させるように配置するとき、揺動部材の第１の突起は直線溝に突出するので、たとえば直線溝を引戸の車輪や突起状のピンなどの下部被案内手段または上部被案内手段が案内されるときに、被案内手段が第１の突起に当たり、揺動部材を第２の分岐溝側から直線溝側に揺動させることができる。
【００２０】
反対に、揺動部材の第２の突起は第２の分岐溝に突出するので、たとえば第２の分岐溝を引戸の車輪や突起状のピンなどの被案内手段が案内されるときに、被案内手段が第２の突起に当たり、揺動部材を直線溝側から第２の分岐溝側に揺動させることができる。
【００２１】
さらに、途中停止防止手段として、上記揺動部材の他側に形成された凸部と、この凸部を含む他側に当接する駒と、この駒を揺動部材の他側に付勢する付勢手段とを備えると良い。揺動部材の第１の突起または第２の突起が、引戸の被案内手段などにより押圧されて揺動部材が揺動するときに、駒は凸部を含む揺動部材の他側に付勢されているので、揺動により駒は凸部を乗り越え、凸部を挟んだ一方の側から他方の側に、または他方の側から一方の側に移動し、揺動部材を他方の側または一方の側位置に停止させ揺動動作を確実にする。
【００２２】
本発明の揺動部材は、第１の突起、第２の突起および凸部を有するが、第１の突起および第２の突起の形状は、当接する側が滑らかに、たとえば曲面または平面に形成される。途中停止防止手段は、揺動部材の他側に形成された凸部、駒および付勢手段によって形成されるが、凸部および駒の形状は、凸部を押圧する駒がこの凸部を乗り越えられるように双方とも滑らかに、たとえば円弧面に形成されると良い。付勢手段としてはコイルばね、板ばね、針金状ばね、合成ゴムや発泡樹脂などの弾力性を有する材料などを利用できる。
【００２３】
引戸枠を形成する部材や引戸の主材料としては、たとえば、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系の板、あるいは木質系や合成樹脂系の複合積層板などを使用できる。さらに、引戸枠や引戸の少なくとも露出部分には化粧材を設けると良い。
【００２４】
取手の形状は、特に限定されないが、引戸の面から凹んだ凹部を有すると良い。引戸を開いて二つの引戸が重なったときに、引戸の手前に形成される空間が広くなる。
【００２５】
【発明の実施の形態】
以下、本発明に係る引戸装置の実施形態を図面に基づいて詳細に説明する。なお、図１〜１２において、同一または同等部分には同一符号を付けて示す。
【００２６】
図１は、本発明に係る引戸装置の一実施形態を示す正面図である。図２は、図１におけるＡ−Ａ線断面図である。引戸装置１は、家具、建具または収納庫などに設けられ、あるいは間仕切りとして設けられるもので、主に引戸枠２と、この引戸枠２に設けられる１対の引戸３ａ、３ｂとを備える。引戸枠２は、この下部を形成する敷居２８と、上部を形成する鴨居３６およびこれら部材の間をつなぐ縦部材４４とを有する。引戸枠２の形状は、正面から見て矩形状であり、これにともなって引戸３ａ、３ｂの正面形状も矩形に形成される。各引戸の片側寄りには取手２７が設けられる。引戸枠２を形成する各部材や引戸３ａ、３ｂの主材料としては、たとえば、木質繊維板（ＭＤＦなど）を使用する。
【００２７】
引戸３ａ、３ｂは、下部に下部被案内装置（下部被案内手段）４、上部に上部被案内装置（上部被案内手段）１０を有し、下部の下部被案内装置４は引戸下部の左右寄りに各々設けられ、上部の上部被案内装置１０は引戸上部の左右寄りに各々設けられる。下部被案内装置４０は敷居２８に設けられた溝３０ａ、３０ｂに案内され、上部被案内装置１０は鴨居３６に設けられた溝３８ａ、３８ｂに案内される。敷居の溝３０ａ、３０ｂと鴨居の溝３８ａ、３８ｂは対向して設けられる。引戸３ａ、３ｂが閉じられたときに引戸３ａ、３ｂ同士は面一に並列し、引戸３ａ、３ｂが開かれたときに引戸３ａ、３ｂ同士は略重なるように形成される。なお、図２において符号２６は縁取り材である。
【００２８】
図３は、図１におけるＢ−Ｂ線断面図である。敷居２８の溝は各引戸ごとに対応して設けられる。すなわち、引戸３ａに対しては溝３０ａが、引戸３ｂに対しては溝３０ｂが設けられ、溝３０ａと溝３０ｂは点対称に形成される。溝３０ａは、引戸の開閉方向６３に延在する直線溝３１ａと、直線溝の一端３２ａからこの直線溝３１ａに対して遠くなる方向に斜めに延在する第１の分岐溝３３ａとを有する。
【００２９】
さらに、溝３０ａは、第１の分岐溝３３ａに平行で直線溝３１ａの略中央の中間位置から延在する第２の分岐溝３４ａを有する。第１の分岐溝３３ａと第２の分岐溝３４ａは、対の引戸３ａ、３ｂに対応する二つの溝の直線溝３１ａと直線溝３１ｂの間の略中央４６まで形成される。そして、引戸３ａが閉められたときには、引戸３ａの下部被案内装置４は、各々第１の分岐溝３３ａおよび第２の分岐溝３４ａの略端に位置する。
【００３０】
引戸３ｂに対応する溝３０ｂについても、溝３０ａと同様の形状で、溝３０ｂは、直線溝３１ｂ、第１の分岐溝３３ｂおよび第２の分岐溝３４ｂを有し、これらの位置関係も溝３０ａの場合と同様である。第１の分岐溝３３ｂと第２の分岐溝３４ｂは、直線溝３１ａと直線溝３１ｂの間の略中央４６まで形成される。そして、引戸３ｂが閉められたときには、引戸３ｂの下部被案内装置４は、各々第１の分岐溝３３ｂおよび第２の分岐溝３４ｂの略端に位置する。
【００３１】
図４は、図１におけるＣ−Ｃ線断面図である。鴨居３６に形成された溝３８ａ、３８ｂは、敷居２８に形成された溝３０ａ、３０ｂと対向して設けられ、溝３８ａ、３８ｂの形状、大きさ、構造などは、敷居２８に形成された溝３０ａ、３０ｂと同じであるので、符号のみを入れその説明を省略する。符号３９ａ、３９ｂは直線溝、符号４０ａ、４０ｂは直線溝の一端、符号４１ａ、４１ｂは第１の分岐溝、符号４２ａ、４２ｂは第２の分岐溝をそれぞれ表す。そして、引戸３ａ、３ｂの上部被案内装置１０は、引戸が閉じられているとき各々第１の分岐溝４１ａ、４１ｂおよび第２の分岐溝４２ａ、４２ｂの略端に位置する。
【００３２】
図５は、図３における中央部分の拡大断面図である。本図は敷居２８の中央部分を示すもので、左側の引戸３ａは、斜め上方に移動することができる。引戸３ａは、芯材２１と、この芯材２１に合わされる化粧板２２と、これら芯材２１と化粧板２２との木口を覆う木口覆材２３とを備える。木口覆材２３は、引戸３ａの突き合わせ側に位置し、条材状の部材で、その断面形状は略コの字形に形成される。
【００３３】
木口覆材２３は、対向する二つの片部を有し、この二つの片を連結するつなぎ部２５ａは引戸面に対して斜めに形成される。二つの片部には、その先端と基端との間の位置で内方向に突出する十字状の突起２５ｂを有する。この突起２５ｂを設けることにより化粧板２２を芯材２１の表面に合わせることができる。本実施形態においては引戸３ａの片面のみに化粧板２２を設けている。芯材２１は、一方の面側に平坦な凹部２１ａを有し、この凹部２１ａに化粧板２２が合わさる。
【００３４】
方向切替装置（方向切替手段）４８は、揺動部材４９と、途中停止防止装置（途中停止防止手段）５９とを備える。揺動部材４９は、枢軸５７を中心にして先端側（一側）が揺動する。途中停止防止装置５９は、枢軸５７に対して先端側と反対の基端側（他側）に設けられ揺動部材４９の揺動途中位置における停止を防止する。
【００３５】
揺動部材４９は、直線溝３１ａと第２の分岐溝３４ａとの間で揺動し、枢軸５７を支点にして揺動可能である。さらに、この揺動部材４９が第２の分岐溝３４ａ側（他方の側）に揺動したときに直線溝３１ａに突出する第１の突起５０および直線溝３１ａ側（一方の側）に揺動したときに第２の分岐溝３４ａに突出する第２の突起５２を有する。第１の突起５０を形成する一側の面５１および第２の突起５２を形成する他側の面５３は滑らかな曲面ないし平面に形成される。
【００３６】
さらに、途中停止防止装置５９は、揺動部材４９の他側に形成された凸部５４と、凸部５４を含む他側に当接する駒６０と、この駒６０を揺動部材４９の他側に付勢するコイルばね（付勢手段）６１とを備える。凸部５４は、枢軸５７に対して一側と反対の他側に形成され、凸部５４の当接面と駒６０の当接面とは円弧面に形成される。そして、揺動部材４９が揺動するときに駒６０が凸部５４を乗り越えることができるように形成される。揺動部材４９が直線溝３１ａ側に揺動したときには直線溝３１ａと第２の分岐溝３４ａの経路は連通される。
【００３７】
反対に、揺動部材４９が第２の分岐溝３４ａ側に揺動したときには直線溝３１ａと第２の分岐溝３４ａの経路は遮断される。なお、鴨居の溝３８ａ、３８ｂについても敷居の溝３０ａ、３０ｂと同じように、方向切替装置４８が設けられる。また、引戸３ｂの構造についても、引戸３ａと同じであるので、その説明を省略する。
【００３８】
図６は、図３における左側端部分の拡大断面図である。引戸３ａの左側木口覆材２４は、条材状の部材で、その断面形状は略コの字形に形成され、先の木口覆材２３と同様に、対向する二つの片部を有し、この二つの片を連結するつなぎ部２５ｃは引戸面に対して直交する方向に形成される。二つの片部には、その先端と基端との間の位置で内方向に突出する十字状の突起２５ｂを有する。その他の構造は、図５に示したものと同じであるのでその説明を省略する。
【００３９】
図７は、引戸の下部被案内装置４を示し、（Ａ）は正面断面図、（Ｂ）は下面図である。下部被案内装置（下部被案内手段）４は、下部に設けられた車輪（またはキャスター）５の付いた調整ロッド６と、この調整ロッド６が挿通される筒体８とを有する。調整ロッド６には雄ねじ７が形成され、筒体８には雌ねじ９が形成される。調整ロッド６を回転することにより車輪５を上下方向に移動することができ、引戸３ａの高さを調整できる。下部被案内装置４をこのような構造とすることにより、引戸３ａの重量を支えることができるとともに、上下方向の高さを調整できる。引戸３ｂの下部被案内装置４についても上記引戸３ａの下部被案内装置４と同じ構造である。
【００４０】
図８は、引戸の上部被案内装置１０を示し、（Ａ）は正面断面図、（Ｂ）は平面図である。上部被案内装置１０は、上部に設けられた車輪（またはキャスター）１１の付いた調整ロッド１２と、この調整ロッド１２が挿通される筒体１５とを有する。調整ロッド１２は、その上側の小径ロッド１３と、その下側の大径ロッド１４とを有し、小径ロッド１３の軸芯１７と、大径ロッド１４の軸芯１８とは距離ｅだけ偏芯している。小径ロッド１３の軸芯１７と大径ロッド１４の軸芯１８とを距離ｅだけ偏芯させることにより、引戸３ａを移動させるときに上部被案内装置１０が鴨居の溝３８ａ、３８ｂに追従し易くする。大径ロッド１４は、筒体１５の内周に摺動し上下可動である。
【００４１】
さらに、調整ロッド１２の下端と筒体１５の内底との間にコイルばね１６が介在し、調整ロッド１２を常に上方に付勢している。なお、符号１９は筒体１５のキャップで、調整ロッド１２の抜けを防止する。引戸３ａの上部被案内装置１０をこのような構造とすることにより、調整ロッド１２が上下方向に伸縮可能であるので、引戸３ａを鴨居の溝３８ａ、３８ｂと敷居の溝３０ａ、３０ｂとの間に挿入することができる。なお、上記上部被案内装置１０は、調整ロッド１２の上部に車輪（またはキャスター）１１の付いたものとしたが、本実施形態においては、これに限らず、鴨居の溝３８ａ、３８ｂの内側形状とその幅に略等しく、円柱部と、この円柱部の下端に溝内側幅より大きい径の鍔とを有するヘッド部を設けた調整ロッド１２を使用し、ピボットタイプとしても良い。
【００４２】
以上の構造を有する本実施形態の引戸装置１について、その作用を説明する。図３において、対として設けられる引戸３ａ、３ｂは、この引戸が閉められているとき、引戸３ａ、３ｂに設けられた下部被案内装置４および上部被案内装置１０は、第１の分岐溝３３ａ、３３ｂと第２の分岐溝３４ａ、３４ｂの略端に位置し、二つの引戸３ａ、３ｂは面一に並列している。この状態から二つの引戸３ａ、３ｂの内、どちらか片方の引戸を移動させると、この引戸はこれに対応する専用の溝に沿って移動する。
【００４３】
図９は、本発明に係る引戸装置１の作用を説明する図で、（Ａ）は２枚の引戸３ａ、３ｂが並列して閉じられている状態の断面図、（Ｂ）は左側の引戸３ａが斜め上方に移動した状態の断面図、（Ｃ）は左側の引戸３ａが開かれた状態の断面図である。図９（Ａ）に示すように、二枚の引戸３ａ、３ｂは、面一に並列している。この状態から、左側の引戸３ａを斜め上方に移動すると、左側の引戸の下部被案内装置４の調整ロッド６（または車輪５）は、第１の分岐溝３３ａを上方に移動するとともに第２の分岐溝３４ａから左側の方向切替装置の揺動部材４９を押し開けながら移動する。このとき揺動部材４９は直線溝３１ａ側に揺動する（図９（Ｂ））。
【００４４】
さらに、図９（Ｂ）に示す状態から、引戸３ａを右方向に移動させると、引戸３ａの右側の下部被案内装置の調整ロッド６は図９（Ｃ）に示す直線溝３１ａの右端に達する。このとき、引戸３ａの右側の下部被案内装置の調整ロッド６は揺動部材４９を押し倒し、図９（Ｃ）に示すように、第２の分岐溝３４ａ側に回転させる。そして、引戸３ａは引戸３ｂと重なり、引戸装置１の左側が開放される。
【００４５】
図９（Ｃ）の状態から、左側の引戸３ａを左側に戻し閉めるときの作用は次のようである。すなわち、先ず、図９（Ｃ）に示す引戸３ａを左方向に引くと、引戸３ａの左側の下部被案内装置の調整ロッド６は方向切替装置の揺動部材の第１の突起５０に当接し通過することにより、図９（Ｂ）に示すように、方向切替装置の揺動部材４９を直線溝３１ａ側、すなわち上方に回転させ、図９（Ｂ）に示す状態とさせる。さらに、引戸３ａを左方向に移動させることにより図９（Ａ）の状態となり、引戸３ａと引戸３ｂが面一に並び、閉まった状態となる。なお、鴨居３６側の動作についても、敷居２８側と同じであるので、その説明を省略する。
【００４６】
図１０は、本発明に係る引戸装置１の作用を説明する図で、（Ａ）は２枚の引戸が並列して閉じられている状態の断面図、（Ｂ）は右側の引戸が斜め下方に移動した状態の断面図、（Ｃ）は右側の引戸が開かれた状態の断面図である。図１０（Ａ）において右側の引戸３ｂを左側に移動して開放する動作および図１０（Ｃ）において右側の引戸３ｂを右側に移動して閉じる動作は、図９（Ａ）〜（Ｃ）において、左右を反対にするだけであるので、符号のみを入れてその説明を省略する。また、鴨居３６側の動作についても、敷居２８側と同じであるので、その説明を省略する。
【００４７】
以上のように、引戸３ａを移動させるときに、引戸３ａはこの引戸に専用の溝に沿って移動することになるので、引戸３ｂの位置に関係なく移動させることができる。反対に、引戸３ｂを移動させるときにも、引戸３ｂはこの引戸に専用の溝に沿って移動することになるので、引戸３ａの位置に関係なく移動させることができる。このように一つの引戸に一つの専用の溝を設けることにより、引戸の開閉に手間がかからず使い勝手が良くなる。また、一つの引戸に一つの専用の溝を設けることにより、引戸を十分に開ける、すなわち引き残しを無くすことができる。
【００４８】
また、直線溝３１ａと第２の分岐溝３４ａまたは直線溝３１ｂと第２の分岐溝３４ｂとの交差部に引戸の下部被案内装置４または上部被案内装置１０の進入方向を切り替える方向切替装置４８を設けることにより、引戸３ａまたは引戸３ｂを移動させるときに、方向切替装置４８は直線溝３１ａと第２の分岐溝３４ａまたは直線溝３１ｂと第２の分岐溝３４ｂとの間で引戸３ａ、３ｂの下部案内装置４および上部案内装置１０の進行方向を切り替えるので、引戸３ａ、３ｂの開閉動作を確実に行わせることができる。
【００４９】
図１１は、本発明に係る引戸装置の別の実施形態を示す断面図である。本実施形態の引戸装置１は、図１〜１０に示した引戸装置を二つ並べた２連の引戸装置である。この場合、対の引戸３ａ、３ｂや引戸３ｃ、３ｄの動作は、先の図１〜１０に示した引戸装置と同じであるので、符号を入れて、その説明を省略する。また、引戸３ｂと引戸３ｃとの突き合わせ面には合成ゴム、軟質樹脂などで形成された戸当たりパッキンを設けると良い。このようにすることにより、この引戸装置で仕切られた二つの空間の間の空気、音、光などの遮断ができる。図１１におけるその他の構造と作用は図１〜１０に示した引戸装置と同じであるので、その説明を省略する。
【００５０】
図１２は、本発明に係る引戸装置のさらに別の実施形態を示す断面図である。本実施形態の引戸装置１は、図１１に示した引戸装置と同様に２連のものであるが、引戸の引く方向が左右で対称的である。すなわち、引戸装置１中央側の引戸３ｂ、３ｃを開く場合、引戸３ｂは左側に、引戸３ｃは右側に移動する。引戸３ａや引戸３ｄを開く場合は、引戸３ａを右側に、引戸３ｄを左側に移動する。このように、この引戸装置１は、引戸の開く方向が直感的であるので使い勝手が良い。図１２におけるその他の構造と作用は図１１に示した引戸装置と同じであるので、その説明を省略する。
【００５１】
図１３は、本発明に係る引戸装置のさらに別の実施形態を示す正面図である。本実施形態の引戸装置１において、対の引戸３ａ、３ｂの突合せ側木口と反対側の木口７０ａ、７０ｂ寄りの引戸面に取手２７が形成される。
【００５２】
図１４は、図１３におけるＡ−Ａ線断面図である。対の引戸３ａ、３ｂは互いに等しい幅、すなわち引戸３ａの幅Ｗ１と引戸３ｂの幅Ｗ２とは等しく形成される。さらに、対の引戸３ａ、３ｂが閉じられた状態にあるときに引戸３ａ、３ｂの突合せ側木口６８、６８の面は第１の分岐溝３３ａまたは第２の分岐溝３４ａと略同じ方向に斜めに面取りされる。また、引戸３ａ、３ｂの突合せ側木口６８、６８の中間位置には段部が形成され、二つの引戸３ａ、３ｂが閉じられた状態で光や音などを遮断ないし減衰させる。
【００５３】
図１５は、図１４における左側の引戸３ａが開かれたときの左木口側の拡大断面図である。取手２７は、この取手２７が設けられる木口端７２と、突合せ側木口６８の面取り幅寸法Ｘに相当する位置との間に形成される。したがって、木口端７２と凹部２７ａの右端２７ｂとの距離は、面取り幅寸法Ｘに等しいか、これより小さく形成される。なお、図１３〜１５において、その他の部分の構造は、図１〜１０に示した引戸装置と同じであるのでその説明を省略する。
【００５４】
図１６は、図１３〜１５に示した引戸装置１の作用を説明する図で、（Ａ）は２枚の引戸３ａ、３ｂが並列して閉じられている状態の断面図、（Ｂ）は左側の引戸３ａが斜め上方に移動した状態の断面図、（Ｃ）は左側の引戸３ａが開かれた状態の断面図である。図１６（Ａ）に示すように、二枚の引戸３ａ、３ｂは、面一に並列している。この状態から、左側の引戸３ａを斜め上方に移動すると、左側の引戸の下部被案内装置４の調整ロッド６（または車輪５）は、第１の分岐溝３３ａを上方に移動するとともに第２の分岐溝３４ａから左側の方向切替装置の揺動部材４９を押し開けながら移動する。このとき揺動部材４９は直線溝３１ａ側に揺動する（図１６（Ｂ））。
【００５５】
さらに、図１６（Ｂ）に示す状態から、引戸３ａを右方向に移動させると、引戸３ａの右側の下部被案内装置の調整ロッド６は図１６（Ｃ）に示す直線溝３１ａの右端に達する。このとき、引戸３ａの左側の下部被案内装置の調整ロッド６は揺動部材４９を押し倒し、図１６（Ｃ）に示すように、第２の分岐溝３４ａ側に回転させる。そして、引戸３ａは引戸３ｂと重なり、引戸装置１の左側が開放される。
【００５６】
図１５に示すように、一方の引戸３ａを開けたときに、同じ側にある木口端７２と突合せ側木口６８の先端とが一致する。このとき、裏側に位置する一方の引戸３ａの取手２７は表側に位置する他方の引戸３ｂの裏面に入り込む。しかし、他方の引戸３ｂの突合せ側木口６８の面は第１の分岐溝（図１６の符号３３ａ）または第２の分岐溝（図１６の符号３４ａ）と略同じ方向に斜めに面取りされ、かつ引戸３ａの取手２７は、取手２７が設けられる木口端７２と突合せ側木口６８の面取り幅寸法Ｘに相当する位置との間に形成されるので、引戸３ａの取手２７の手前に空間が形成される。このため引戸３ａの取手２７に掛けていた手は、引戸３ａと引戸３ｂとの間に挟まれることがない。
【００５７】
次に、図１６（Ｃ）の状態から、左側の引戸３ａを左側に戻し閉めるときの作用は次のようである。すなわち、引戸３ａの取手２７の前側には手を挿入できる空間が形成されているので、先ず、図１６（Ｃ）に示す引戸３ａの取手２７に手を掛けて左方向に引くことができる。引戸３ａを左方向に引くことにより、引戸３ａの左側の下部被案内装置の調整ロッド６は方向切替装置の揺動部材の第１の突起５０に当接し通過することにより、図１６（Ｂ）に示すように、方向切替装置の揺動部材４９を直線溝３１ａ側、すなわち上方に回転させ、図１６（Ｂ）に示す状態とさせる。
【００５８】
さらに、引戸３ａを左方向に移動させることにより図１６（Ａ）に示す状態となり、引戸３ａと引戸３ｂが面一に並び閉まった状態となる。なお、鴨居３６側の動作についても、敷居２８側の動作と同じであるので、その説明を省略する。また、図１６（Ａ）の状態から、引戸３ｂを左方向に引くときには、引戸３ｂの取手２７が手前にあるので手が引戸３ａと引戸３ｂの間に挟まれることがない。
【００５９】
【発明の効果】
本発明によれば、引戸ごとに専用の溝を設け独立して移動できるので、使い勝手が良く開閉の手間がかからない。また、引戸ごとに移動できるので、引戸の引き残しがない。
【図面の簡単な説明】
【図１】本発明に係る引戸装置の一実施形態を示す正面図である。
【図２】図１におけるＡ−Ａ線断面図である。
【図３】図１におけるＢ−Ｂ線断面図である。
【図４】図１におけるＣ−Ｃ線断面図である。
【図５】図３における中央部分の拡大断面図である。
【図６】図３における左側端部分の拡大断面図である。
【図７】引戸の下部被案内装置を示し、（Ａ）は正面断面図、（Ｂ）は下面図である。
【図８】引戸の上部被案内装置を示し、（Ａ）は正面断面図、（Ｂ）は平面図である。
【図９】本発明に係る引戸装置の作用を説明する図で、（Ａ）は２枚の引戸が並列して閉じられている状態の断面図、（Ｂ）は左側の引戸が斜め上方に移動した状態の断面図、（Ｃ）は左側の引戸が開かれた状態の断面図である。
【図１０】本発明に係る引戸装置の作用を説明する図で、（Ａ）は２枚の引戸が並列して閉じられている状態の断面図、（Ｂ）は右側の引戸が斜め下方に移動した状態の断面図、（Ｃ）は右側の引戸が開かれた状態の断面図である。
【図１１】本発明に係る引戸装置の別の実施形態を示す断面図である。
【図１２】本発明に係る引戸装置のさらに別の実施形態を示す断面図である。
【図１３】本発明に係る引戸装置のさらに別の実施形態を示す正面図である。
【図１４】図１３におけるＡ−Ａ線断面図である。
【図１５】図１４における左側の引戸３ａが開かれたときの左木口側の拡大断面図である。
【図１６】図１３〜１５に示した引戸装置の作用を説明する図で、（Ａ）は２枚の引戸が並列して閉じられている状態の断面図、（Ｂ）は左側の引戸が斜め上方に移動した状態の断面図、（Ｃ）は左側の引戸が開かれた状態の断面図である。
【符号の説明】
１  引戸装置
３ａ〜３ｄ  引戸
４  下部被案内装置（下部被案内手段）
１０  上部被案内装置（上部被案内手段）
２８  敷居
３０ａ、３０ｂ  溝
３１ａ、３１ｂ  直線溝
３２ａ、３２ｂ  一端
３３ａ、３３ｂ  第１の分岐溝
３４ａ、３４ｂ  第２の分岐溝
３６  鴨居
３８ａ、３８ｂ  溝
３９ａ、３９ｂ  直線溝
４０ａ、４０ｂ  一端
４１ａ、４１ｂ  第１の分岐溝
４２ａ、４２ｂ  第２の分岐溝
４８  方向切替装置（方向切替手段）
６８  突合せ木口
７０  反対側の木口
７２  木口端
Ｗ１、Ｗ２  引戸の幅
Ｘ  面取り幅
【図１】
2004285559.tif 000003
【図２】
2004285559.tif 000004
【図３】
2004285559.tif 000005
【図４】
2004285559.tif 000006
【図５】
2004285559.tif 000007
【図６】
2004285559.tif 000008
【図７】
2004285559.tif 000009
【図８】
2004285559.tif 000010
【図９】
2004285559.tif 000011
【図１０】
2004285559.tif 000012
【図１１】
2004285559.tif 000013
【図１２】
2004285559.tif 000014
【図１３】
2004285559.tif 000015
【図１４】
2004285559.tif 000016
【図１５】
2004285559.tif 000017
【図１６】
2004285559.tif 000018